(57)【要約】 【課題】  軽量であり、波による揺れを抑制することができる水上浮体構造物を提供する。【解決手段】  浮体１０は、水上浮体構造物であり、発泡樹脂からなる発泡樹脂体１と、発泡樹脂体１を囲む樹脂製の枠体２とを有する。枠体２の底部には、底部の略中央部に一方向に長尺状に延設された逆Ｔ字形状の第１突条部材３と、第１突条部材３の少なくとも一方の側に所定の間隙８をあけた位置に第１突条部材と略平行に延設され、突出先端片４１を第１突条部材３に向かって突設させた第２突条部材４とを有する。【選択図】  図１
0003183746.tif 000002
【実用新案登録請求の範囲】
【請求項１】
発泡樹脂からなる発泡樹脂体と、前記発泡樹脂体を囲む枠体とを有する水上浮体構造物であって、
前記枠体の底部には、該底部の略中央部に一方向に長尺状に延設された逆Ｔ字形状の第１突条部材と、該第１突条部材の少なくとも一方の側に所定の間隙をあけた位置に前記第１突条部材と略平行に延設され、突出先端片を前記第１突条部材に向かって突設させた第２突条部材とを有することを特徴とする水上浮体構造物。
【請求項２】
前記第２突条部材は、前記枠体の側板と一体に形成されている請求項１記載の水上浮体構造物。
【請求項３】
前記第２突条部材は、前記枠体の底部から下方に延びる延設部と、前記延設部の下方先端に設けられた突出先端部とからなる請求項１又は２に記載の水上浮体構造物。
【請求項４】
前記第２突条部材の前記延設部には、貫通孔が形成されている請求項３記載の水上浮体構造物。
【請求項５】
前記水上浮体構造物は、棒状の締結部材で締結されている請求項１〜４のいずれか１項に記載の水上浮体構造物。
【請求項６】
浮き桟橋である請求項１〜５のいずれか１項に記載の水上浮体構造物。
【考案の詳細な説明】
【技術分野】
【０００１】
本考案は、浮き桟橋などに用いられる、樹脂を用いた水上浮体構造物に関する。
【背景技術】
【０００２】
港湾、河川などにおいて、ヨットやボートなどの小型船舶の接舷、係船のために浮き桟橋が利用されている。浮き桟橋は、複数個の浮体を連結して構成されている。この浮体としては、コンクリートあるいは鋼材によって内部が中空状に形成された枠体、あるいはこの枠体内に樹脂発泡体を配置したモノコックタイプなどが知られている。また、ＦＲＰなどで成形した浮きパネルをロープなどで連結した簡易的なものも知られている。
【０００３】
本願出願人は、特許文献１に開示されたように、長尺板状体を複数組み合わせて枠体を形成し、この枠体の内部に発泡樹脂を配置することを提案している。
【先行技術文献】
【特許文献】
【０００４】
【特許文献１】特許第４１４３７０１号公報
【考案の概要】
【考案が解決しようとする課題】
【０００５】
しかしながら、上記従来の浮き桟橋は、比較的軽量であり、波による揺れが大きい。
【０００６】
浮き桟橋の揺れを防止するためには、浮体の重量を重くすることが考えられる。しかし、重い浮体は運搬しにくく、また浮力が小さく沈みやすい。
【０００７】
本考案は係る事情に鑑みてなされたものであり、軽量であり、波による揺れを抑制することができる水上浮体構造物を提供することを課題とする。
【課題を解決するための手段】
【０００８】
本考案は、発泡樹脂からなる発泡樹脂体と、前記発泡樹脂体を囲む枠体とを有する水上浮体構造物であって、前記枠体の底部には、該底部の略中央部に一方向に長尺状に延設された逆Ｔ字形状の第１突条部材と、該第１突条部材の少なくとも一方の側に所定の間隙をあけた位置に前記第１突条部材と略平行に延設され、突出先端片を前記第１突条部材に向かって突設させた第２突条部材とを有することを特徴とする。
【０００９】
上記の水上浮体構造物は、枠体と発泡樹脂体とからなるため、軽量である。また、枠体の底部には、逆Ｔ字形状の第１突条部材と、第１突条部材と対向する少なくとも一方の側に所定の間隙を開けて第２突条部材が突設されている。このため、水上浮体構造物を水上に浮かべたときに、第１突条部材と第２突条部材との間の空隙に水が入り込む。第１、第２突条部材は、水の動きを抑える抵抗体となる。第１突条部材と第２突条部材との間の間隙に入った水は、第１突条部材と第２突条部材とによって囲まれて、これらに衝突して水の動きが次第に減衰される。このため、波や水の動きによる水上浮体構造物の揺れを抑制することができる。
【００１０】
前記第２突条部材は、前記枠体の側板と一体に形成されていることが好ましい。この場合には、浮体を簡素な構成とすることができる。
【００１１】
前記第２突条部材は、前記枠体の底部から下方に延びる延設部と、前記延設部の下方先端に設けられた突出先端部とからなることが好ましい。この場合には、延設部と突出先端部とが水の抵抗となって水の動きを抑えることができる。
【００１２】
前記第２突条部材の前記延設部には、貫通孔が形成されていることが好ましい。水の動きや波のエネルギーが大きすぎる場合に、浮体の底部に入った水を、貫通孔を通じて外部に逃がす。これにより、過大な水の動きによる浮体の揺れを抑制することができる。
【００１３】
前記水上浮体構造物は、棒状の締結部材で締結されていることが好ましい。この場合には、水上浮体構造物の剛性を高めることができる。
【００１４】
前記水上浮体構造物は、浮き桟橋であることが好ましい。水上浮体構造物は波や水の動きによる揺れが少ないため、人や荷物を安定に載せることができる。
【考案の効果】
【００１５】
本考案の水上浮体構造物は、発泡樹脂体と、樹脂製の枠体とを有するため、軽量である。また、枠体の底部に第１、第２突条部材が互いに向かい合って突設されているため、波による揺れを抑制することができる。
【図面の簡単な説明】
【００１６】
【図１】本考案の実施形態に係る浮体の断面図である。
【図２】本実施形態に係る浮体を上側から視た斜視図である。
【図３】本実施形態に係る浮体を下側から視た斜視図である。
【図４】本実施形態に係る複数の浮体の配列方向を説明する図であって、図４（ａ）は長い側面を互いに合わせて配列する浮体の平面図であり、図４（ｂ）は短い側面を互いに合わせて配列する浮体の平面図である。
【考案を実施するための形態】
【００１７】
本考案の実施形態に係る水上浮体構造物について、図面を用いて説明する。
【００１８】
図１に示すように、水上浮体構造物は、浮き桟橋用の浮体１０である。浮体１０は、発泡樹脂体１と、発泡樹脂体１を囲む枠体２とを有する。発泡樹脂体１は、発泡樹脂からなる直方体を呈している。発泡樹脂体１に用いられる発泡樹脂は、ポリスチロールフォーム、ポリウレタンフォーム、ポリエチレンフォーム、ポリプロピレンフォームなどが挙げられる。この中、ポリスチレンフォームがよい。
【００１９】
枠体２は、樹脂製又は金属である。枠体２に用いられる樹脂としては、例えば、ポリプロピレンなどのプラスチック、強化プラスチック（ＦＲＰ）などが挙げられる。中でも、剛性の高いＦＲＰがよい。枠体２に用いられる金属としては、アルミニウムなどの軽量な金属がよい。
【００２０】
図１，図２に示すように、枠体２は、略直方形形状を呈しており、その上部は２つの上板２１を接合して形成されている。枠体２の側部は、上板２１の周縁を四角枠状に囲む側板２２で形成されている。上板２１と対向する底部には、底板２３が形成されている。枠体２の上板２１と側板２２と底板２３とで囲まれた空間には、ほぼ隙間なく発泡樹脂体１が収容されている。枠体２の縦サイズは２００ｃｍであり、横サイズは１００ｃｍである。枠体２の発泡樹脂体１が収容されている部分の厚みサイズは２０ｃｍである。
【００２１】
枠体２の底板２３には、第１突条部材３と第２突条部材４とが下方に向けて突設されている。第１突条部材３は、底板２３の略中央部に一方向に長尺状に延設されている。第１突条部材３は、逆Ｔ字形状を呈しており、下方に延びる延設部３０と、延設部３０の下方先端に水平方向の両側に張り出した突出先端片３１とを有する。
【００２２】
第２突条部材４は、Ｌ字形状を呈しており、下方に延びる延設部４０と、延設部４０の下方先端に水平方向の片側に張り出した突出先端片４１とを有する。第２突条部材４の延設部４０は、４方向を囲む４つの側板２２の下部に、側板２２と一体に形成されている。
【００２３】
図１，図３に示すように、第２突条部材４の四角枠状の延設部４０の下方先端には、第１突条部材３に向かって突出する突出先端片４１を有している。また、第２突条部材４の延設部４０は、四方向の各方面に向けて２カ所ずつ貫通孔４３が形成されている。第２突条部材４は、第１突条部材３と相対する両側に所定の間隙８をあけた位置に配置されている。貫通孔４３は、大波の場合に、第１，第２突条部材３，４の間の間隙８に入った水の一部を外部に逃がす役目を担う。第２突条部材４は、第１突条部材３と平行に、底板２３の一方向に延設されている。第２突条部材４の突出先端片４１は、逆Ｔ字形状の第１突条部材３の突出先端片３１と互いに向かい合っている。
【００２４】
図１に示すように、第１突条部材３及び第２突条部材４の底板２３からの突出量Ｔは１０ｃｍである。第１突条部材３の突出先端片３１の幅Ｈ１は、１０〜１５ｃｍである。第２突条部材４の突出先端片４１の幅Ｈ２は、５〜１０ｃｍである。
【００２５】
浮体１０を製造するに当たっては、枠体２の側板２２及び第２突条部材４を一体成形する。枠体２の底板２３及び第１突条部材３を一体成形する。枠体２の側板２２の内面中央部に、底板２３の周縁を溶着する。枠体２の上方の開口から、枠体２とほぼ同形状の樹脂発泡体１を収容し、底板２３の上に発泡樹脂体１を載せる。樹脂発泡体１を収容した後に、枠体２の上板２１を被せ、上板２１同士と上板２１と側板２２の上周縁部とを溶着する。
【００２６】
図２，図３に示すように、浮体１０は、剛性を高めるために、金属ブレース６０で締結されている。金属ブレース６０は、棒状の締結部材である。浮体２０の４つの角部は、段状に切り欠いた形状をなしており、この切り欠いた角部にはそれぞれ略Ｌ字形状の金具６２が設けられている。金属ブレース６０は、４本を用いて、浮体１０の縦方向及び横方向に延びている。各金属ブレース６０は、浮体１０の外周近傍を貫通して浮体１０を締め付けている。金属ブレース６０の両端部は、略Ｌ字形状の金具６２に形成された貫通孔に挿通されて、ナット６３で締結されている。
【００２７】
浮体１０は、１つだけを用いて浮き桟橋５を形成してもよいし、複数を連結して浮き桟橋５を形成しても良い。複数を連結して浮き桟橋５を形成する場合には、図４に示すように、第１、第２突条部材３，４の延び方向の向きを、連結方向に向けても良いし（図４（ａ））、連結方向と直交する方向に向けても良い（図４（ｂ））。浮体１０を複数連結するに当たっては、隣合う浮体１０の金属ブレース６０の端部同士をつなぎ合わせる。また、ロープや固定金具を用いて複数の浮体１０を連結しても良い。浮き桟橋５は、例えば、対岸に対してロープで固定してもよいし、水中に錨を降ろして所定の水上場所に停止させてもよい。
【００２８】
本実施形態の浮体１０は、樹脂製の枠体２と発泡樹脂体１とからなるため、軽量である。また、枠体１の底部には、逆Ｔ字形状の第１突条部材３と、第１突条部材３と対向する少なくとも一方の側に所定の間隙８を開けて第２突条部材４が突設されている。このため、浮体１０を水上に浮かべたときに、第１突条部材３と第２突条部材４との間の空隙８に水が入り込む。水は、第１突条部材３と第２突条部材４とによって囲まれて、これらに衝突して水の動きが減衰される。このため、波や水の動きによる浮体１０の揺れを抑制することができる。
【００２９】
本実施形態においては、第２突条部材４は、第１突条部材１の両側に配置されているが、一方の側にのみ配置されていてもよい。また、第２突条部材４は、枠体２の側板２２の下部に一体に形成されているが、側板２２とは別体で形成されていてもよい。第２突条部材４は、第１突条部材３との間に所定の間隙８を開けて平行に配置されていればよく、例えば、側板２２よりも底板２３の中央寄り側に配置されていてもよい。
【００３０】
また、第１，第２突条部材３，４は、枠体２の長手方向に延びている。このため、浮体１０の底部で、水が衝突する部分の面積を大きく確保することができる。ゆえに、浮体１０の底部に入り込んだ波や水の動きを抑える効果が高い。一方、第１，第２突条部材３，４は、枠体２の長手方向と直交する短辺方向に延びていても良い。この場合にも、波を抑えることができる。
【００３１】
また、浮体１０の平面形状は長方形を呈しているが、正方形であってもよい。この場合、第１、第２突条部材３，４をいずれの方向に向けても、波抑制効果はほぼ同じである。
【産業上の利用可能性】
【００３２】
本考案の水上浮体構造物は、浮き桟橋、水上歩道などに利用できるほか、水上桟敷、水上花壇、釣り桟敷、水上作業台など、各種の水上用途に利用することができる。
【符号の説明】
【００３３】
１：樹脂発泡体、２：枠体、３：第１突条部材、４：第２突条部材、５：浮き桟橋、１０：浮体（水上浮体構造物）、２１：上板、２２：側板、２３：底板、３０、４０：延設部、３１，４１：突出先端片、４３：貫通孔、６０：金属ブレース（締結部材）。
【図１】
0003183746.tif 000003
【図２】
0003183746.tif 000004
【図３】
0003183746.tif 000005
【図４】
0003183746.tif 000006